(57)【要約】【課題】通常の草刈り作業と、草を根こそぎ掘り起こす土起こし作業を同時に行うことができる刈払機に装着される草取刃の提供を図る。【解決手段】刈払機の先端に装着される回転切刃であって、回転方向の前縁に刃部を備えた少なくとも三以上の刃体を回転基体から放射状に等角度に配置し、該刃部の前縁から後縁に向かって立ち上がり状に傾斜角を設けると共に、前記刃部の回転中心軸から外に離れるほどに後縁まで緩やかな放物線状の曲線を描くように形成し、該刃部の傾斜角が５〜１０度の範囲で形成される手段と、前記刃部の刃先角を形成する傾斜面が下向きに形成されると共に、該刃先角の向きが、前記刃体の長さの三分の一から四分の一の先端部において、反返角を１〜５度の範囲で上向き方向に向けて設けた手段を採る。【選択図】図１
0003167840.tif 000002
【実用新案登録請求の範囲】
【請求項１】
刈払機の先端に装着される回転切刃であって、
回転方向の前縁に刃部を備えた少なくとも三以上の刃体を回転基体から放射状に等角度に配置し、
該刃部の前縁から後縁に向かって立ち上がり状に傾斜角を設けると共に、
前記回転基体から外に離れるほどに後縁まで緩やかな放物線状の曲線を描くように形成し、
該刃部の傾斜角が５〜１０度の範囲で形成されていることを特徴とする草取刃。
【請求項２】
前記刃部の刃先角を形成する傾斜面が下向きに形成されると共に、
該刃先角の向きが、前記刃体の長さの三分の一から四分の一の先端部において、
反返角を１〜５度の範囲で上向き方向に向けて設けたことを特徴とする請求項１記載の草取刃。
【考案の詳細な説明】
【技術分野】
【０００１】
本考案は、通常の草刈り作業と、草を根こそぎ掘り起こす土起こし作業を同時に行うことができる刈払機に装着される草取刃に関する。
【背景技術】
【０００２】
従来より、刈払機に回転刃を装着して該回転刃を回転させることにより田畑の土手や山林原野に生える草等の草刈り作業が行われている。その刈払機に装着される回転刃としては、円盤状の刃体が主流であり、その他ナイロンロープ状の刃体や二枚刃のブレード刃体等が用いられている。これらの従来の刃体での草刈り作業を行うと、地上から生える草の茎の部分は刈り取ることはできるが、地中の根まで掘り起こして刈り取ることはできないため時間の経過と共に再び草が生えてしまい、一定期間をおいて繰り返し草刈り作業が必要となり日常的な農作業に対する労働負担が大きいものとなっている。
【０００３】
近年、上記の問題点を解決しようと、種々の技術が提案されている。例えば、草やその根の根絶、溝づくり、あるいは土上げ等の目的に応じた円筒片具を、草刈り機や刈払機本体の回転盤の中心部に設けた「刈り取り機草取り作溝づくり円筒片具」（特許文献１参照）が提案され、公知技術となっている。
【０００４】
しかしながら、上記の「刈り取り機草取り作溝づくり円筒片具」（特許文献１参照）は、刈り取り機の回転軸に取り付けられる円筒片具が小径であるため、ピンポイントの草やその根の根絶、溝づくり、あるいは土上げ等の作業には有効ではあるが、広範囲に草刈りする作業用の刈り取り機としては作業効率が極めて悪いものであった。
【０００５】
また、草刈り機や刈払機本体の回転盤の下側に先端部がフリーの状態で回転する金属鎖  設けた「草取り装置」（特許文献２参照）が提案され、公知技術となっている。
【０００６】
しかしながら、上記の「「草取り装置」（特許文献２参照）は、回転盤の下側に先端部がフリーの状態で回転する金属鎖によって地表近くの根の浅い草の除去には効果があるが、根が地中深く張る草の草取り効果に関しては問題点があるものであった。
【０００７】
また、草引き用本体に複数個の折り曲げ部を間欠的に設け、該草引き用本体と折り曲げ部の折り曲げ角度を鋭角とした「草引き用刃及び草引き刃付き作業機」（特許文献３参照）提案され、公知技術となっている。
【０００８】
しかしながら、上記の「草引き用刃及び草引き刃付き作業機」（特許文献３参照）は、草引き刃が円盤状であるため、草引き作業で掘り起こされた地中の土砂の逃げがないことや、切刃が地表に対して略直角に食い込むことから横方向に進行して草取り作業を行うには労力が必要とすることから、効率よく草刈り作業が出来ないものであった。
【０００９】
以上のように、従来の刈払機の先端に装着される回転切刃は、通常の草刈り作業と同時に、草を根こそぎ掘り起こす土起こし作業を効率よく行うことができないものであった。
【００１０】
本出願人は、以上のような回転切刃の従来の現状に鑑み、本出願人が以前に特許権を所有していた「草取刃」（特許文献４参照）をさらに研究改良したもので、該草取刃は、刈払機の先端に装着される回転切刃であって、回転方向の前縁に刃部を備えた少なくとも三以上の刃体を回転基体に等角度に配置して放射状に設け、該刃部の前縁から後縁に向かって立ち上がり状に傾斜角を設けると共に、前記回転基体から外に離れるほどに後縁まで緩やかな放物線状の曲線を描くように形成した刃部が５〜１０度の範囲の傾斜角を形成し、さらに刃部の刃先角の傾斜面が下向きに形成し、さらに該刃先角の向きが上向き方向に１〜５度の範囲で反り返える反返角を形成することによって、通常の草刈り作業と同時に草を根こそぎ掘り起こす土起こし作業を効率よく行うことができる草取刃を開発し、本出願における「草取刃」の提案に至るものである。
【先行技術文献】
【特許文献】
【００１１】
【特許文献１】実用新案登録第３１５５７１７号公報
【特許文献２】実用新案登録第３１４４１９６号公報
【特許文献３】特開２００５-３４１８３７号公報
【特許文献４】特開２００６-１７号公報
【考案の概要】
【考案が解決しようとする課題】
【００１２】
本考案は上記問題点に鑑み、通常の草刈り作業と、草を根こそぎ掘り起こす土起こし作業を同時に行うことができる刈払機に装着される草取刃の提供を図る。
【課題を解決するための手段】
【００１３】
本考案の草取刃は、刈払機の先端に装着される回転切刃であって、回転方向の前縁に刃部を備えた少なくとも三以上の刃体を回転基体から放射状に等角度に配置し、該刃部の前縁から後縁に向かって立ち上がり状に傾斜角を設けると共に、前記回転基体から外に離れるほどに後縁まで緩やかな放物線状の曲線を描くように形成し、該刃部の傾斜角が５〜１０度の範囲で形成される手段を採る。
【００１４】
また、本考案の草取刃は、前記刃部の刃先角を形成する傾斜面が下向きに形成されると共に、該刃先角の向きが、前記刃体の長さの三分の一から四分の一の先端部において、反返角を１〜５度の範囲で上向き方向に向けて設けた手段を採る。
【考案の効果】
【００１５】
本考案の草取刃によれば、通常の草刈り作業と、草を根こそぎ掘り起こす土起こし作業を同時に行うことができる優れた効果を奏する。
【００１６】
また、本考案の草取刃によれば、刃部の前縁から後縁に向かって立ち上がり状に傾斜角が設けられることによって該刃部が適度に地中に切り込んで草を根こそぎ掘り起こすため、草取り作業を完了した状態が一目で分かるとともに、刈られた草と粉砕された草の根がそのまま土中に混ぜ合わされて肥料となる上、地表の草刈り効果を長期間維持できる優れた効果を奏する。
【００１７】
また、本考案の草取刃によれば、刃部の前縁から後縁に向かって立ち上がり状に傾斜角が設けると共に、回転基体から外に離れるほどに後縁まで緩やかな放物線状の曲線を描くように薙刀状に形成されているため、草の切刃抵抗が少なくなることで背の高い草であっても根こそぎ掘り起こすことができる優れた効果を奏する。
【００１８】
また、本考案の草取刃によれば、刃体の刃部の傾斜角を５〜１０度の範囲で形成し、さらに反返角を上向き方向に１〜５度の範囲の範囲で反り返えすことによって刈り取る草と土起こされる土壌の切刃抵抗を少なくすることで草取り作業の効率化が図れる優れた効果を奏する。
【００１９】
また、本考案の草取刃によれば、刃部の刃先角を形成する傾斜面が下向きに形成されると共に反返角を上向き方向に１〜５度の範囲の範囲で反り返えることによって刃先が必要以上に土中に食い込む事故を防ぐことができる優れた効果を奏する。
【００２０】
また、本考案の草取刃によれば、従来の草刈機にアタッチメントを介して単独で装着することができるため、草の伸び具合に合わせてその場で回転刃を交換することができる優れた効果を奏する。
【図面の簡単な説明】
【００２１】
【図１】本考案の草取刃を示す全体斜視図ある。
【図２】本考案の草取刃を示す説明図ある。
【図３】本考案の草取刃の傾斜角ならびに刃先角を示す拡大側面図ある。
【図４】本考案の草取刃の反返角を示す拡大側面図ある。
【図５】本考案の草取刃を使用した草取り作業の状態を示す説明図である。
【図６】本考案の草取刃を使用した草取り作業直後の状態を示す現場写真である。
【図７】本考案の草取刃を使用した草取り作業後１１日経過した状態を示す現場写真である。
【図８】本考案の草取刃を使用した草取り作業直後の状態を示す拡大現場写真である。
【図９】本考案の草取刃を使用した草取り作業後１１日経過した状態を示す拡大現場写真である。
【考案を実施するための形態】
【００２２】
本考案の草取刃１は、刈払機Ｋの先端に装着される回転切刃であって、回転方向の前縁に刃部１１を備えた少なくとも三以上の刃体１０を回転基体１７から放射状に等角度に配置し、該刃部１１の前縁から後縁に向かって立ち上がり状に傾斜角αを設けると共に、前記回転基体１７から外に離れるほどに後縁まで緩やかな放物線状の曲線を描くように形成し、該刃部１１の傾斜角αが５〜１０度の範囲で形成される手段と、前記刃部１１の刃先角θを形成する傾斜面１５が下向きに形成されると共に、該刃先角θの向きが、前記刃体１０の長さの三分の一から四分の一の先端部１６において、反返角βを１〜５度の範囲で上向き方向に向けて設けた手段を採ったことを最大の特徴とするもので、以下、実施例を図面を基に説明する。
【００２３】
また、本考案の草取刃１の形状は、下記に述べる実施例に特に限定されるものでなく、本考案の技術的思想に逸脱しない範囲で任意に変更することができる。
【実施例１】
【００２４】
図１は、本考案の草取刃１を示す全体斜視図ある。図１（a）は上方表側から俯瞰した全体斜視図を示し、図１（ｂ）は下方裏側から俯瞰した全体斜視図を示す。草取刃１は、刈払機Ｋの先端の回転軸１６に装着される回転切刃であって、回転方向の前縁１３に刃部１１を備えた少なくとも三以上の刃体１０を等角度に配置して回転基体１７から放射状に設けて形成される。刃体１０の形状は、例えば、長さ15ｃｍ、幅が略7ｃｍ、厚み2ｍｍの薙刀（なぎなた）状を形成し、材質には、例えば、硬質なステンレス鋼を用いたり、Ｓ43Ｃ等の炭素鋼やマルテンサイト系ステンレス鋼を焼入れ等の熱処理により所望する調度や硬さを得ることが考えられる。刃体１０は基本的に平板であるので、レーザー加工機などにより定尺の鋼板等から効率よく切り出し、回転体１７と溶接により成形するのがコスト的には有効であるが、ステンレス鋼を鍛造により一体成型することも強度的には有効である。なお、刃部１１は研ぎ出して成形する。また、回転基体１７の中央に設けた回転軸孔１８にアダプタを介することによって多機種の刈払機Ｋに取り付け可能とする構成が望ましい。
【実施例２】
【００２５】
図２は、本考案の草取刃１を示す説明図ある。図２（a）は平面図を示し、図２（ｂ）はＡ視側面図を示す。刃体１０は、回転方向の前縁１３に刃部１１を備えた少なくとも三以上の刃体１０を回転基体１７から等角度に配置して放射状に設けられる。刃体１０が三以上の等角度に配置して放射状に設けられることによって、刈られた草Ｇの抜けが良くなり草刈り作業が容易になると共に、草Ｇを根こそぎ掘り起こす土起こし作業によって土壌Ｄも効率よく排出されるものである。
【００２６】
刃部１１は、前縁１３から後縁１４に向かって立ち上がり状に５〜１０度の範囲で形成される傾斜角αを設けると共に、回転基体１７から外に離れるほどに後縁１４まで緩やかな放物線状の曲線を描くように形成される。つまり、刃部１１が薙刀状に反っていることによって、刃先１２が草Ｇの断面に対して鋭角に切り込むため、切れ味が増すと共に刃先１２にかかる負担が少なくなることで刃先１２の耐久性を増している。
【００２７】
図３は、本考案の草取刃１の傾斜角αならびに刃先角θを示す拡大側面図ある。刃部１１の前縁１３から後縁１４に向かって立ち上がり状に５〜１０度の範囲で形成される傾斜角αを設けると共に、刃先角θを形成する傾斜面１５が下向きに形成することによって、草Ｇならびに地面Ｔに対して鋭角に切り込んで土壌Ｄをスライス状に切り裂くため、刈り取り抵抗が少ない状態で草Ｇの刈り取り作業と、地面Ｔの土起こし作業が同時にできるものである。さらに土中に石や障害物があった場合、刃体１０との接触で刃部１１の損傷を和らげ、さらに石や障害物の飛散する力を抑制する役割を果たすものである。
【００２８】
図４は、本考案の草取刃１の反返角βを示す拡大側面図ある。刃部１１の刃先角θを形成する傾斜面１５が下向きに形成されると共に、該刃先角θの向きが刃体１０の三分の一から四分の一の先端部１６から長さにおいて上向き方向に１〜５度の範囲で反り返える反返角βを有して形成されることによって、回転する草取刃１の水平推力（草Ｇを刈ろうとする横向きのスイング力）による刃先１２が必要以上に地面Ｔに食い込むことを防止することで、草刈機Ｋの食い込みによる事故防止と作業労働の負担の軽減を図るものである。
【００２９】
図５は、本考案の草取刃１を使用した草取り作業の状態を示す説明図である。図５（a）は、本考案の草取刃１を使用した草取り作業の状態を示す。地上に生えている草Ｇと地中に伸びている根っこＮを同時に刈り取ることができるもので、さらに地面Ｔが刃体１０の回転で持って掘り起こされるため刈り取った草Ｇと根っこＮが地中に埋め戻され、肥料となる効果も得られるものである。
【００３０】
図５（ｂ）は従来のディスク状の草刈刃を使用した草刈り作業の状態を示す。地上に生えている草Ｇは刈り取ることができるが、地中に伸びている根っこＮは刈り取ることができないものである。
【００３１】
本考案の効果は、現実の草取り作業状況を見れば一目瞭然であるが、図面や文章を用いてその効果を現すことが困難なため、以下、図６から図９は写真を用いて説明する。図６は、本考案の草取刃１を使用した草取り作業直後の状態を示す現場写真である。図示される左側の領域が従来のディスク状の草刈刃を使用して草刈りを行った状態を示し、右側の領域が本考案の草取刃１を使用して草取りを行った状態を示す。図面に表した写真ではわかりにくいが、本考案の草取刃１を使用した草取り状態（枠の右側）は、草取り作業が終了した面積が地表を露出しているため、刈り取った領域が一目で確認できる。これに対し、従来のディスク状の草刈刃を使用して草刈りをした状態（枠の左側）は、刈り取った草Ｇが地表に散乱して刈り取った領域とこれから刈り取ろうとする領域が目視で分かりづらくなっている。
【００３２】
図７は、本考案の草取刃１を使用した草取り作業後１１日経過した状態を示す現場写真であり、図６で撮影した場所を１１日経過後（図６の写真は平成２２年７月９日撮影、図７の写真は平成２２年７月２０日撮影）に同じアングルから比較のために撮影したものである。図面に表した写真は白黒であるのでわかりにくいが、枠右側の領域は土の色が変色しているのみで、取られた草Ｇは枯れて茶系色になり、新たな雑草はほとんど生えてきていない。これに対し、枠左側の領域では上向きにしっかりと青々とした新たな雑草が育成している。係る１１日間は、時期的にも気温が高く、日照や降水量などの諸条件から雑草の成長しやすい期間であった。
【００３３】
図８は、本考案の草取刃１を使用した草取り作業直後の状態を示す拡大現場写真である。本考案の草取刃１を使用した草取り状態は、草Ｇが根こそぎ刈り取られ、さらに地面Ｔを掘り起こして刈り取った草Ｇと根っこＮが地中に埋め戻されているため、刈り取られた草Ｇと根っこＮが肥料として再利用できるものである。
【００３４】
図９は、本考案の草取刃１を使用した草取り作業後１１日経過した状態を示す拡大現場写真である。本考案の草取刃１を使用した草取り状態は、草Ｇが根こそぎ刈り取られているため、草Ｇが生えている形跡がない。それに対して従来のディスク状の草刈刃を使用して草刈りをした状態は、根っこＮが刈り取られていないため、再び草Ｇが伸び始めている状態になっている。
【産業上の利用可能性】
【００３５】
本考案の草取刃１は、一般的な刈払機Ｋに装着することにより利用できる上に、土壌の土寄せや耕作機としても利用できることから、本考案における草取刃１の産業上の利用可能性は大とするものと解する。
【符号の説明】
【００３６】
１    草取刃
１０  刃体
１１  刃部
１２  刃先
１３  前縁
１４  後縁
１５  傾斜面
１６  先端部
１７  回転基体
１８  回転軸孔
α    傾斜角
β    反返角
θ    刃先角
Ｋ    刈払機
Ｇ    草
Ｎ    根っこ
Ｄ    土壌
Ｔ    地面
【図３】
0003167840.tif 000003
【図４】
0003167840.tif 000004
【図１】
0003167840.tif 000005
【図２】
0003167840.tif 000006
【図５】
0003167840.tif 000007
【図６】
0003167840.tif 000008
【図７】
0003167840.tif 000009
【図８】
0003167840.tif 000010
【図９】
0003167840.tif 000011